(57)【要約】【課題】扱いの粗い建設現場で使用するために適するように手持ち式工具装置の深さゲージを固定し、手持ち式工具装置の押圧力を信頼性よく導出することができ、しかも深さゲージが損傷しないようにする【解決手段】補助グリップ１を備えた手持ち式工具装置において、補助グリップ１は、作業軸線Ａに対して配向された状態で固定可能な頭部４を備え、頭部４内には、作業軸線Ａに対して平行に配向され、深さゲージとして適した、固有剛性を有するロッド６を形状接続的に案内して収容するためのロッド案内部５、および前記深さゲージのための少なくとも部分的に摩擦力接続的に固定するための緊締手段７が配置されている。緊締手段７は、クランプねじ８を介して、緊締方向Ｖに沿って作業軸線Ａに対して横方向に変位可能である。緊締手段７は、ロッド６のための少なくとも１つの緊締孔９を有している。【選択図】図３
2009131953.tif 000002
【特許請求の範囲】
【請求項１】
補助グリップ（１）を備えた手持ち式工具装置であって、前記補助グリップ（１）が、作業軸線（Ａ）に対して配向された状態で固定可能な頭部（４）を備え、該頭部（４）内に、作業軸線（Ａ）に対して平行に配向され、深さゲージとして適した、固有剛性を有するロッド（６）を形状接続的に案内して収容するためのロッド案内部（５）と、前記深さゲージのための少なくとも部分的に摩擦力接続的に固定するための緊締手段（７）とが配置されており、該緊締手段（７）が、クランプねじ（８）を介して、緊締方向（Ｖ）に沿って作業軸線（Ａ）に対して横方向に変位可能である手持ち式工具装置において、
前記緊締手段（７）が、前記ロッド（６）のための少なくとも１つの緊締孔（９）を有していることを特徴とする手持ち式工具装置。
【請求項２】
請求項１に記載の手持ち式工具装置において、
緊締方向（Ｖ）に大面積で隣接する接触面（１１）を備える少なくとも１つのインサート（１３）が、内部に設けられており、前記ロッド（６）のための少なくとも１つの対向緊締孔（１２）を有しており、該対向緊締孔（１２）が、前記緊締手段（７）の緊締孔（９）とオーバラップしている手持ち式工具装置。
【請求項３】
請求項２に記載の手持ち式工具装置において、
前記インサート（１３）が、Ｕ字形に形成されており、そのＵ字の各脚部に対向緊締孔（１２）を有している手持ち式工具装置。
【請求項４】
請求項１から３までのいずれか１項に記載の手持ち式工具装置において、
前記緊締手段（７）が、Ｕ字形に形成されており、そのＵ字の各脚部に緊締孔（９）を有している手持ち式工具装置。
【請求項５】
請求項４に記載の手持ち式工具装置において、
前記緊締手段（７）の基部（１４）が、クランプねじ（８）のための雌ねじ山（１０）を有している手持ち式工具装置。
【請求項６】
請求項１から５までのいずれか１項に記載の手持ち式工具装置において、
前記緊締手段（７）が金属からなっている手持ち式工具装置。
【発明の詳細な説明】
【技術分野】
【０００１】
本発明は、深さゲージを有するハンドグリップを備える手持ち式工具装置、特に穿孔ハンマに関する。
【背景技術】
【０００２】
通例では、補助グリップは、クランプまたは緊締具または緊締ベルトによって、手持ち式工具装置の緊締フランジに固定される。さらにこの補助グリップには、固有剛性を有し、変位可能に固定できるロッドの形の深さゲージが配置されている。目的に応じた使用時に、深さゲージは加工部品表面に位置し、手持ち式工具装置の押圧力全体を導出し、これにより、作業工程、例えば穿孔が実質的に終了する。
【０００３】
米国特許出願公開第２００４１６３２１４号明細書により、補助グリップが公知である。この補助グリップは、弾性的に予荷重をかけられたクランプ部材を介して手持ち式工具装置の緊締フランジに固定することができ、緊締フランジに形状接続的に適合する頭部を有している。この頭部は、目的に応じて固定する場合に手持ち式工具装置の回転軸線に対して配向されている。さらに頭部内には深さゲージとして、固有剛性を有する多角形状のロッドが、頭部内で形状接続的に半径方向に変位可能であり、固定可能に案内されている。固定のためには、ねじ山付きピンによって緊締時にロッドを直接に押圧し、ロッドを摩擦力接続的に固定するクランプねじが用いられる。それゆえ、ねじ山付きピンによって形成された接触面は必然的にわずかであり、十分な緊締力を加えた場合には、ロッドに塑性変形をもたらす場合がある。このような塑性変形は、将来的に連続的な深さ調節の障害となる。
【０００４】
欧州特許第０１３２５９３号明細書により、グリップ部を回動することにより、Ｔヘッドねじによって緊締可能な緊締ベルトを介して手持ち式工具装置の緊締フランジに固定することができる補助グリップが公知である。この補助グリップは、緊締フランジに形状接続的に適合する頭部を有しており、この頭部は、目的に応じて固定する場合に手持ち式工具装置の回転軸線に対して配向されている。さらに頭部内には深さゲージとして、固有剛性を有する六角形のロッドが、形状接続的に軸線方向に変位可能に固定されて案内されている。深さゲージを固定するためには、回転軸線に対して横方向に操作可能な、ばね弾性的に予荷重をかけられた、溝の付いた楔面を形成する押圧ボタンが用いられ、欧州特許第１３３６４４６号明細書によれば、溝の付いたクランプ面を備え、ばね弾性的に予荷重をかけられたレバーが、ロッドに対応配置された溝付き面を直接に押圧し、これにより、ロッドを形状接続的および摩擦力接続的に固定する。手持ち式工具装置に加えられた押圧力全体を信頼性良く導出するために、特に扱いの粗い建設現場で使用する場合には、このように独立してばね弾性的に予荷重をかけて固定することは不適切である。なぜならば、溝付き面は著しく摩耗にさらされており、とりわけ表面の付着摩擦が、使用時に付着した油脂層によって本質的に低下している恐れがあるからである。
【特許文献１】米国特許出願公開第２００４１６３２１４号明細書
【特許文献２】欧州特許第０１３２５９３号明細書
【特許文献３】欧州特許第１３３６４４６号明細書
【発明の開示】
【発明が解決しようとする課題】
【０００５】
本発明の課題は、扱いの粗い建設現場で使用するために適するように手持ち式工具装置の深さゲージを固定し、手持ち式工具装置の押圧力を信頼性よく導出することができ、しかも深さゲージが損傷しないようにすることである。
【課題を解決するための手段】
【０００６】
この課題は、本質的に請求項１の特徴部により解決される。有利な改良形態は従属請求項に記載されている。
【０００７】
本発明の手持ち式工具装置は、作業軸線に対して配向された状態で固定可能な頭部を備える補助グリップを有し、頭部には、深さゲージとして適した、固有剛性を有するロッドを形状接続的に案内して収容するために作業軸線に対して平行に配向されたロッド案内部、および少なくとも部分的に摩擦力接続的に固定するための緊締手段が深さゲージのために配置されており、緊締手段は、クランプねじを介して、緊締方向に沿って作業軸線に対して横方向に変位可能であり、この場合に、緊締手段はロッドのための少なくとも１つの緊締孔を有している。
【０００８】
作業軸線に対して横方向に変位可能な緊締孔が設けられており、目的に応じた使用時にはこの緊締孔を通ってロッドが延びている。この緊締孔により、孔縁部は、緊締のために収容部に対して作用する接触面を部分的に形成しており、この接触面はロッドのほぼ半周にわたって延びており、これにより、最大の押圧力を吸収するためにロッド材料（例えば鋼）の十分な緊締が弾性的な領域で維持されるので、持続的な塑性変形は生じない。
【０００９】
有利には、補助グリップは、少なくとも１つの、さらに有利には２つのインサートを有しており、インサートは、緊締方向に大きい面で補助グリップの内部に隣接する接触面およびロッドのための対向緊締孔を備えており、この対向緊締孔は、緊締手段の緊締孔と少なくとも部分的にオーバラップしており、これにより、緊締孔と対向緊締孔との間に挿入されたロッドが弾性的に締め付けられる。
【００１０】
有利には、インサートは、基部および２つの脚部によりＵ字形に形成されており、Ｕ字の各脚部に対向緊締孔を有しており、これにより、山形の２つのインサートに比べて構成部分が１つ少なくて済む。Ｕ字形インサートの脚部は、緊締方向に対して横方向に延びている。
【００１１】
有利には、Ｕ字形の緊締手段の場合、基部は（中央に）クランプねじのための雌ねじ山を有しており、これにより、クランプねじは緊締手段内に直接にねじ込み可能である。
【００１２】
有利には、緊締手段およびインサートは金属からなっており、これにより、高い緊締力を損失なしにロッドからクランプねじに伝達することができる。
【発明を実施するための最良の形態】
【００１３】
有利な実施例に関して本発明をさらに詳細に説明する。
【００１４】
図１には、穿孔ハンマの形の手持ち式工具装置３（部分的にのみ示す）の緊締フランジ２に、作業軸線Ａに対して配向された状態で固定されている補助グリップ１が、緊締フランジ２に形状接続的に適合する頭部４を有しており、この頭部４には、作業軸線Ａに対して平行に配向されたロッド案内部５が配置されており、このロッド案内部５は、深さゲージとして固有剛性を有するロッド６を形状接続的に案内して収容する。
【００１５】
さらに図２、図３および図４によれば、頭部４は、（回転式に緊締されたグリップ部の他の緊締作用によって）ロッド６を摩擦力接続的に固定するために、金属からなる独立した緊締手段７を有している。この緊締手段７は、クランプねじ８を介して、緊締方向Ｖに沿って作業軸線Ａに対して横方向に変位可能である。この場合に、図４によればＵ字形の緊締手段７は、ロッド６のための２つの緊締孔９を有し、ベース１４の中央にはクランプねじ８のための雌ねじ山１０を有している。頭部４は、さらに金属からなるＵ字形のインサート１３を有し、このインサート１３は、頭部４の内部に、緊締方向Ｖに大きい面で隣接する接触面１１を備え、インサート１３の脚部内にロッド６のための２つの対向緊締孔１２を備えている。これらの対向緊締孔は、緊締手段７の緊締孔９と部分的にオーバラップしている。インサート１３の脚部は、緊締方向Ｖに対して横方向に延びている。
【図面の簡単な説明】
【００１６】
【図１】補助グリップを備える手持ち式工具装置を示す図である。
【図２】図１の平面ＩＩ−ＩＩに沿った部分断面図である。
【図３】図２の細部ＩＩＩを示す図である。
【図４】図２の平面ＩＶ−ＩＶに沿った縦方向断面図である。
【符号の説明】
【００１７】
１  補助グリップ
２  緊締フランジ
３  手持ち式工具装置
４  頭部
５  ロッド案内部
６  ロッド
７  緊締手段
８  クランプねじ
９  緊締孔
１０  雌ねじ山
１１  接触面
１２  対向緊締孔
１３  インサート
１４  ベース
ＩＩ−ＩＩ  平面
ＩＩＩ  細部
ＩＶ−ＩＶ  平面
Ａ  作業軸線
Ｖ  緊締方向
【図１】
2009131953.tif 000003
【図２】
2009131953.tif 000004
【図３】
2009131953.tif 000005
【図４】
2009131953.tif 000006